(57)【要約】【課題】トイレから排出されるし尿や、台所・浴室・洗面所・洗濯機から排出される雑排水を、電源が必要な空気供給装置を使用せず、無動力・無電源で、浄化し放流する排水処理槽を提供する。【解決手段】嫌気槽２を有し、これを点検するための点検口１１を備えた構造の排水処理槽で、嫌気槽２の内部には、網状骨格体のろ材で代表的なものであるドーナツ円筒状の大きいもの３ａと、小さいもの３ｂが充填されており、このろ材に繁殖した嫌気性微生物により、し尿や雑排水中のＢＯＤを除去することができる。また、この網状骨格体のろ材で代表的なものである３ａ・３ｂは、網のように編みこまれた構造をしており、この構造が、し尿や雑排水中に含まれる浮遊物質を捕捉し、除去することができる。【選択図】図１
2013075283.tif 000002
【特許請求の範囲】
【請求項１】
トイレから排出されるし尿や、台所・浴室・洗面所・洗濯機から排出される雑排水を、電源が必要な空気供給装置を使用せず、無動力・無電源で、浄化し放流することができ、嫌気槽を有し、これを点検するための点検口を備えた構造の排水処理槽であって、この嫌気槽の内部に、網状骨格体のろ材を充填し、し尿や雑排水中のＢＯＤを５０〜８０％除去、浮遊物質を５０〜８０％除去することができる排水処理槽。
【請求項２】
前記嫌気槽の後にろ過槽を有した構造の排水処理槽であって、このろ過槽の内部に、ゼオライトなどの細孔を有する鉱物、軽石、砂、活性炭、プラスチック、ゴムなどを原料として作られたろ過材を充填し、無動力・無電源のサイフォン洗浄方式、ロータンク洗浄方式、オーバーフロー洗浄方式、エアー洗浄方式のいずれかによる自動洗浄機構を備え、このろ過材が目詰まりした場合でも、この目詰まりを解消することができる請求項１に記載の排水処理槽。
【請求項３】
前記ろ過槽の後に、処理水槽を有した構造の排水処理槽であって、ろ過槽の自動洗浄の際に流れ出た処理水槽中の浮遊物質を沈降・貯留することができる請求項２に記載の排水処理槽。
【請求項４】
前記嫌気槽の後、もしくは前記ろ過槽の後、もしくは前記処理水槽の後に、消毒槽を有した構造の排水処理槽であって、この消毒槽には、塩素系の薬剤を充填した筒を備え、消毒槽中の大腸菌を滅菌することができる請求項１、または２、または３に記載の排水処理槽。
【請求項５】
ポリプロピレンやポリエチレン、ポリアセタール、ナイロン、ジシクロペンタジエンなどの樹脂原料を用いて作られた射出成型品を排水処理槽の全体槽として使用し、さらに、この排水処理槽内部の各槽を仕切るための仕切り板や、各槽に付随する部品にも、同様の樹脂原料を用いて作られた射出成型品を使用した請求項１〜４のいずれかに記載の排水処理槽。
【請求項６】
排水処理槽の上部に土壌の層を設け、臭いの原因となる臭気成分を分解し、不快な臭いがしない請求項１〜５のいずれかに記載の排水処理槽。
【発明の詳細な説明】
【技術分野】
【０００１】  本発明は、トイレから排出されるし尿や、台所・浴室・洗面所・洗濯機から排出される雑排水を、浄化して放流する排水処理槽として用いられるものである。
【背景技術】
【０００２】  従来のトイレから排出されるし尿や、台所・浴室・洗面所・洗濯機から排出される雑排水を、浄化して放流するためのものは、このし尿や雑排水を一時的に溜めておくだけの化糞池であった。【０００３】  この化糞池は、このし尿や雑排水を一時的に溜めておくだけのもので、このし尿や雑排水は浄化されることなく放流されるため、川や池、湖沼、海の環境汚染の原因となっていた。【０００４】  また、このし尿や雑排水には、病原性大腸菌などの環境や人体にとって有害な微生物が含まれており、この化糞池では、この微生物を滅菌することができず、これが川や池、湖沼、海などへ放流されることで、環境や人体に悪影響を及ぼしていた。【０００５】  また、このし尿や雑排水は、この化糞池で一時的に溜められている間、このし尿や雑排水の全部、又は一部が腐敗し、異臭を放ち、不快な臭いを周囲に漂わせていた。【０００６】  また、この化糞池は、ＦＲＰやコンクリート製のものが多く、熟練した製造技術者でしか製造することができず、大量に製造することができなかった。また、熟練した製造技術者が製造した製品であっても、穴ができたり、亀裂が生じたりするため、水漏れを起こす原因となっていた。
【発明の概要】
【発明が解決しようとする課題】
【０００７】  従来のトイレから排出されるし尿や、台所・浴室・洗面所・洗濯機から排出される雑排水を、一時的に溜めておくだけの化糞池は、このし尿や雑排水を浄化する機能を持っておらず、そのまま放流されるため、川や池、湖沼、海の環境汚染の原因となっていた。【０００８】  また、このし尿や雑排水には、病原性大腸菌などの環境や人体にとって有害な微生物が存在しており、これが川や池、湖沼、海などへ放流されることで、環境や人体に悪影響を及ぼす懸念があった。【０００９】  また、このし尿や雑排水は、この化糞池で一時的に溜められている間、このし尿や雑排水全部、又は一部が腐敗し、異臭を放ち、不快な臭いを周囲に漂わせていた。【００１０】  また、この化糞池は、ＦＲＰやコンクリート製のものが多く、熟練した製造技術者でしか製造することができず、大量に製造することができなかった。また、熟練した製造技術者が製造した製品であっても、穴ができたり、亀裂が生じたりするため、これらが水漏れを起こす原因となり、このし尿や雑排水を貯留できず、化糞池としての機能を損なっていた。
【課題を解決するための手段】
【００１１】  これらの課題を解決するための手段は次の通りである。
トイレから排出されるし尿や、台所・浴室・洗面所・洗濯機から排出される雑排水を、電源が必要な空気供給装置を使用せず、無動力・無電源で、浄化し放流することができ、嫌気槽を有し、これを点検するための点検口を備えた構造の排水処理槽であって、この嫌気槽の内部に、網状骨格体のろ材を充填し、し尿や雑排水中のＢＯＤを５０〜８０％除去、浮遊物質を５０〜８０％除去することができる排水処理槽を提案する。【００１２】  この排水処理槽の嫌気槽の内部に充填した網状骨格体のろ材は、嫌気性微生物の棲み処に適しており、嫌気性微生物の繁殖を活発にする。この増殖した嫌気性微生物は、し尿や雑排水中に含まれる、川や池、湖沼、海の環境汚染の原因となる有機物質を分解し、し尿や雑排水中のＢＯＤを除去する。【００１３】  また、この網状骨格体のろ材は、網のように編みこまれた構造をしており、この構造が、し尿や雑排水中に含まれる浮遊物質を捕捉する。これにより、し尿や雑排水中の浮遊物質は網状骨格体のろ材に捕捉され、除去される。【００１４】  また、この排水処理槽の嫌気槽の後にろ過槽を設け、このろ過槽の内部に充填した、ゼオライトなどの細孔を有する鉱物、砂（軽石含む）、活性炭、プラスチック、ゴムなどを混入したろ過材もまた、し尿や雑排水中に含まれる浮遊物質を捕捉する。これにより、嫌気槽で捕捉しきれなかったし尿や雑排水中の浮遊物質は、ろ過槽のろ過材により捕捉され、除去される。【００１５】  ここで、このろ過槽のろ過材は、捕捉した浮遊物質が多くなるほど、ろ過材が目詰まりし、水が流れにくくなるか、もしくは、全く流れなくなるが、無動力・無電源のサイフォン洗浄方式、ロータンク洗浄方式、オーバーフロー洗浄方式、エアー洗浄方式のいずれかによる自動洗浄機構により、ろ過材に目詰まりが発生したとき、自動的にろ過材の洗浄が行われ、このろ過材の目詰まりが解消される。【００１６】  また、このろ過槽の後に処理水槽を設け、ろ過槽のろ過材の目詰まりを自動洗浄機構により解消した際に、万一、ろ過槽から浮遊物質が流れ出た場合でも、この処理水槽で沈降・貯留する。【００１７】  また、排水処理槽から外部へ放流する直前に消毒槽を設け、消毒槽の内部に備えた筒に充填している塩素系の薬剤により、病原性大腸菌などの微生物を滅菌する。【００１８】  また、この排水処理槽はポリプロピレンやポリエチレン、ポリアセタール、ナイロン、ジシクロペンタジエンなどの樹脂原料を用いて作られた射出成型品を排水処理槽の全体槽として使用し、さらに、この排水処理槽内部の各槽を仕切るための仕切り板や、各槽に付随する部品にも、同様の樹脂原料を用いて作られた射出成型品を使用する。【００１９】  また、この排水処理槽の上部に、土壌の層を設け、排水処理槽の内部で発生した臭気が、この土壌を通過する際、この土壌に生息する微生物が、臭気の原因となる成分を分解する。
【発明の効果】
【００２０】  本発明の排水処理槽を用いることで、トイレから排出されるし尿や、台所・浴室・洗面所・洗濯機から排出される雑排水に含まれる有機物質を嫌気性微生物が分解し、ＢＯＤを５０〜８０％除去できる。これにより、川や池、湖沼、海の環境汚染を防止することができる。【００２１】  また、このし尿や雑排水中に含まれる浮遊物質を嫌気槽の内部に充填された網状骨格体のろ材や、ろ過槽の内部に充填されたゼオライトなどの細孔を有する鉱物、砂（軽石含む）、活性炭、プラスチック、ゴムなどを混入したろ過材によって捕捉し、この浮遊物質を５０〜８０％除去できる。これによっても、川や池、湖沼、海の環境汚染を防止することができる。【００２２】  さらに、このろ過槽のろ過材が捕捉した浮遊物質により、目詰まりが起きた場合でも、無動力・無電源のサイフォン洗浄方式、ロータンク洗浄方式、オーバーフロー洗浄方式、エアー洗浄方式のいずれかによる自動洗浄機構により、目詰まりが自動的に解消され、安定して浮遊物質を捕捉することができる。これにより、浮遊物質は継続して５０〜８０％除去することができ、川や池、湖沼、海の環境汚染も継続して防止することができる。【００２３】  また、このろ過槽の後に処理水槽を設けることで、ろ過槽のろ過材の目詰まりを自動洗浄機能により解消した際に、万一、ろ過槽から流出した浮遊物質も沈降・貯留することができる。これにより、さらに浮遊物質を除去し、川や池、湖沼、海の環境汚染を防止することができる。【００２４】  また、排水処理槽から外部へ放流する直前に塩素系の薬剤を充填した筒を消毒槽の内部に設けることで、この薬剤により病原性大腸菌などの微生物を滅菌する。これにより、これらの微生物が排水処理槽の外部へ放流されることを抑制し、環境及び人体への悪影響を防ぐことができる。【００２５】  また、この排水処理槽はポリプロピレンやポリエチレン、ポリアセタール、ナイロン、ジシクロペンタジエンなどの樹脂原料を用いて作られた射出成型品を排水処理槽の全体槽として使用し、さらに、この排水処理槽内部の各槽を仕切るための仕切り板や、各槽に付随する部品にも、同様の樹脂原料を用いて作られた射出成型品を使用することで、水漏れの原因となるような穴や亀裂が生じることがなく、大量に、誰にでも、この排水処理槽を製造することができ、安定的に供給することができる。【００２６】  また、この排水処理槽の上部に、土壌の層を設けていることで、排水処理槽の内部から発生した臭気が、この土壌を通過する際、土壌に生息する微生物が、臭気の原因となる成分を分解し、この排水処理槽の周囲には、不快な臭いが漂わなくなり、安心してこの排水処理槽を設置することができる。
【図面の簡単な説明】
【００２７】
【図１】本発明の排水処理槽で嫌気槽を有する構造のもの
【図２】本発明の排水処理槽で嫌気槽の後にろ過槽を有する構造のもの
【図３】本発明の排水処理槽で嫌気槽の後にろ過槽を有し、ろ過槽の後に処理水槽を有する構造のもの
【図４】本発明の排水処理槽で嫌気槽の後にろ過槽を有し、ろ過槽の後に処理水槽を有し、処理水槽の後に消毒槽を有する構造のもの
【図５】本発明の排水処理槽で嫌気槽に充填した網状骨格体のろ材の大と小
【発明を実施するための形態】
【００２８】  本発明は、トイレから排出されるし尿や、台所・浴室・洗面所・洗濯機から排出される雑排水を、浄化して放流する排水処理槽として実施する。
【００２９】  図１は、本発明の排水処理槽で嫌気槽２を有し、これを点検するための点検口１１を備えた構造のものを示す。嫌気槽２の内部には、網状骨格体のろ材で代表的なものであるドーナツ円筒状の大きいもの３ａと、小さいもの３ｂが充填されており、嫌気性微生物がこれらのろ材を棲み処とし、この嫌気性微生物は活発に繁殖する。この嫌気性微生物により、し尿や雑排水中に含まれる、川や池、湖沼、海の環境汚染の原因となる有機物質を分解し、し尿や雑排水中のＢＯＤを除去することができる。
【００３０】  また、この網状骨格体のろ材で代表的なものである３ａ・３ｂは、図５に示すように網のように編みこまれた構造をしており、この構造が、し尿や雑排水中に含まれる浮遊物質を捕捉する。これにより、し尿や雑排水中の浮遊物質を、除去することができる。
【００３１】  図２は、本発明の排水処理槽で嫌気槽２の後にろ過槽４を有し、これを点検するための点検口１１を備えた構造のものを示す。嫌気槽２の構造は、図１で示したものと同じ構造のもので、ろ過槽４の内部には、ゼオライトなどの細孔を有する鉱物、砂（軽石含む）、活性炭、プラスチック、ゴムなどを混入したろ過材５が充填されており、このろ過材がし尿や雑排水中に含まれる浮遊物質を捕捉する。これにより、嫌気槽で捕捉しきれなかったし尿や雑排水中の浮遊物質を、除去することができる。
【００３２】  ここで、このろ過槽４の内部に充填されたろ過材５は、捕捉した浮遊物質が多くなるほど、ろ過材５が目詰まりし、水が流れにくくなるか、もしくは、全く流れなくなる。これを無動力・無電源の自動洗浄機構６により、ろ過材５に目詰まりが発生したとき、自動的にろ過材５の洗浄が行われ、このろ過材５の目詰まりが解消される。これにより、ろ過槽４の内部に充填されたろ過材５が、安定してし尿や雑排水中の浮遊物質を除去することができる。
【００３３】  図３は、本発明の排水処理槽で嫌気槽２の後にろ過槽４を有し、ろ過槽４の後に処理水槽７を有し、これを点検するための点検口１１を備えた構造のものを示す。嫌気槽２の構造は、図１で示したものと同じ構造のもので、ろ過槽４の構造は、図２で示したものと同じ構造のものである。処理水槽７は、ろ過槽４のろ過材５の目詰まりを無動力・無電源の自動洗浄機構６により解消した際に、万一、ろ過槽４から浮遊物質が流れ出た場合でも、この処理水槽７で沈降・貯留する。これにより、ろ過槽４のろ過材５の目詰まりの原因となった浮遊物質は、万一、ろ過槽４から流れ出た場合でも処理水槽７により除去されたこととなる。
【００３４】  図４は、本発明の排水処理槽で嫌気槽２の後にろ過槽４を有し、ろ過槽４の後に処理水槽７を有し、処理水槽７の後に消毒槽８を有し、これを点検するための点検口１１を備えた構造のものを示す。嫌気槽２の構造は、図１で示したものと同じ構造のもので、ろ過槽４の構造は、図２で示したものと同じ構造のもので、処理水槽７の構造は、図３で示したものと同じ構造である。消毒槽８の内部には、塩素系薬剤１０を充填した筒９を備え、この塩素系薬剤１０が処理水槽７から流れてきたし尿や雑排水と接触することで溶解し、このし尿や雑排水中に含まれる病原性大腸菌などの微生物を滅菌する。これにより、これらの微生物が排水処理槽の外部へ放流されることを抑制し、環境及び人体への悪影響を防ぐことができる。
【００３５】  図１、図２、図３、図４に示された排水処理槽本体１、嫌気槽２、ろ過槽４、処理水槽７、消毒槽８、汚泥引抜口付仕切板１２は、ポリプロピレンやポリエチレン、ポリアセタール、ナイロン、ジシクロペンタジエンなどの樹脂原料を用いて作られた射出成型品で、水漏れの原因となるような穴や亀裂が生じることがなく、大量に、誰にでも、この排水処理槽を製造することができ、安定的に供給することができる。
【００３６】  図１、図２、図３、図４に示された排水処理槽上部の土壌の層１３は、排水処理槽本体１の内部から発生した臭気が、この土壌の層１３を通過する際、この土壌の層１３に生息する微生物によって、臭気の原因となる成分が分解される。これにより、周囲に不快な臭いが漂わなくなる。
【符号の説明】
【００３７】  １：排水処理槽本体
２：嫌気槽
３ａ：嫌気槽に充填した網状骨格体のろ材でドーナツ円筒状のもの大
３ｂ：嫌気槽に充填した網状骨格体のろ材でドーナツ円筒状のもの小
４：ろ過槽
５：ろ過槽に充填したろ過材
６：ろ過材が目詰まりした時の自動洗浄機構
７：処理水槽
８：消毒槽
９：薬剤を充填した筒
１０：塩素系薬剤
１１：点検口
１２：汚泥引抜口付仕切板
１３：土壌の層
【図１】
2013075283.tif 000003
【図２】
2013075283.tif 000004
【図３】
2013075283.tif 000005
【図４】
2013075283.tif 000006
【図５】
2013075283.tif 000007